(57)【特許請求の範囲】
【請求項１】
文字を送信する方法であって、
文字アプリケーションが駆動され文字作成インタフェースを提供し、
前記文字作成インタフェースを利用した文字作成中に、コンテンツを選択するための入力信号を受信し、
前記選択されたコンテンツを文字作成中にクラウドストレージにアップロードし、
前記アップロードされたコンテンツにアクセスすることのできる経路情報を含む文字メッセージを相手端末に送信すること、
を含み、
前記選択されたコンテンツのファイル容量が基準容量以上である場合には、前記選択されたコンテンツを前記文字メッセージに含まれる経路情報として送信するためのユーザの要請に応じて、前記選択されたコンテンツを前記文字作成中にクラウドストレージにアップロードし、前記経路情報が生成されて前記文字メッセージに含まれることを特徴とする、文字送信方法。
【請求項２】
前記クラウドストレージにアップロードされたコンテンツは、
原本コンテンツと品質が同じであることを特徴とする、請求項１に記載の文字送信方法。
【請求項３】
前記アップロードされたコンテンツにアクセスすることのできる経路情報を含む文字メッセージを相手端末に送信することは、
前記選択されたコンテンツと関連するサムネイルをフォーマット化してコンテンツサムネイルを生成し、ＵＲＬ情報または前記コンテンツサムネイルのうち少なくとも１つ以上に基づいて提供することを含む、請求項１に記載の文字送信方法。
【請求項４】
前記アップロードされたコンテンツにアクセスすることのできる経路情報を含む文字メッセージを相手端末に送信することは、
前記相手端末で前記文字メッセージに含まれた前記ＵＲＬ情報または前記フォーマット化されたサムネイルが選択されることにしたがい、前記ＵＲＬ情報に対応するコンテンツビューアページに連結させて前記コンテンツを出力することを含む、請求項３に記載の文字送信方法。
【請求項５】
前記アップロードされたコンテンツにアクセスすることのできる経路情報を含む文字メッセージを相手端末に送信することは、
前記コンテンツビューアページに前記アップロードされたコンテンツに対し、予め設定された基準別に前記コンテンツを出力させること、を含む、請求項４に記載の文字送信方法。
【請求項６】
前記アップロードされたコンテンツにアクセスすることのできる経路情報を含む文字メッセージを相手端末に送信することは、
前記コンテンツビューアページに出力された前記コンテンツを前記相手端末にダウンロードするダウンロード機能を提供することにより、前記コンテンツが選択されることにしたがって前記端末に格納されること、を含む、請求項５に記載の文字送信方法。
【請求項７】
前記アップロードされたコンテンツにアクセスすることのできる経路情報を含む文字メッセージを相手端末に送信することは、
前記コンテンツに設定されているダウンロード期限または前記コンテンツのダウンロードの可否のうち少なくとも１つ以上の条件が満たされることにしたがい、クラウドストレージにアップロードされたコンテンツの記録を削除することを含む、請求項６に記載の文字送信方法。
【請求項８】
前記文字作成インタフェースを利用した文字作成中に、コンテンツを選択するための入力信号を受信することは、
送信者から入力された数字または前記送信者の電話番号の下４桁がパスワードとして設定されることを含み、
前記アップロードされたコンテンツにアクセスすることのできる経路情報を含む文字メッセージを相手端末に送信することは、
前記設定されたパスワードを含んだ前記文字メッセージを前記相手端末に送信し、受信者が前記設定されたパスワードを認証するように提供することを含む、請求項１に記載の文字送信方法。
【請求項９】
前記文字作成インタフェースを利用した文字作成中に、コンテンツを選択するための入力信号を受信することは、
住所録から前記文字メッセージを受信する受信者が選択されるか、予め生成されたチャットルームに含まれている構成員が自動的に受信者となることを含む、請求項１に記載の文字送信方法。
【請求項１０】
前記文字作成インタフェースを利用した文字作成中に、コンテンツを選択するための入力信号を受信することは、
前記文字作成インタフェースに前記選択されたコンテンツを選択された順に整列し、予め設定された分割で出力することを含む、請求項９に記載の文字送信方法。
【請求項１１】
文字アプリケーションが駆動され文字作成インタフェースを提供し、
前記文字作成インタフェースを利用した文字作成中に、コンテンツを選択するための入力信号を受信し、
前記選択されたコンテンツを文字作成中にクラウドストレージにアップロードし、
前記アップロードされたコンテンツにアクセスすることのできる経路情報を含む文字メッセージを相手端末に送信すること、
を含み、
前記選択されたコンテンツのファイル容量が基準容量以上である場合には、前記選択されたコンテンツを前記文字メッセージに含まれる経路情報として送信するためのユーザの要請に応じて、前記選択されたコンテンツを前記文字作成中にクラウドストレージにアップロードし、前記経路情報が生成されて前記文字メッセージに含まれることをコンピュータに実行させるためのコンピュータプログラム。
【請求項１２】
文字を送信するシステムであって、
文字アプリケーションが駆動され文字作成インタフェースを提供するインタフェース部と、
前記文字作成インタフェースを利用した文字作成中に、コンテンツを選択するための入力信号を受信する受信部と、
前記選択されたコンテンツを文字作成中にクラウドストレージにアップロードするアップロード部と、
前記アップロードされたコンテンツにアクセスすることのできる経路情報を含む文字メッセージを相手端末に送信する送信部と、
を備え、
前記選択されたコンテンツのファイル容量が基準容量以上である場合には、前記選択されたコンテンツを前記文字メッセージに含まれる経路情報として送信するためのユーザの要請に応じて、前記選択されたコンテンツを前記文字作成中にクラウドストレージにアップロードし、前記経路情報が生成されて前記文字メッセージに含まれることを特徴とする、文字送信システム。
【請求項１３】
前記クラウドストレージにアップロードされたコンテンツは、
原本コンテンツと品質が同じであることを特徴とする、請求項１２に記載の文字送信システム。
【請求項１４】
前記送信部は、
前記選択されたコンテンツと関連するサムネイルをフォーマット化してコンテンツサムネイルを生成し、ＵＲＬ情報または前記コンテンツサムネイルのうち少なくとも１つ以上に基づいて提供することを特徴とする、請求項１２に記載の文字送信システム。
【請求項１５】
前記送信部は、
前記相手端末で前記文字メッセージに含まれた前記ＵＲＬ情報または前記フォーマット化されたサムネイルが選択されることにしたがい、前記ＵＲＬ情報に対応するコンテンツビューアページに連結させて前記コンテンツを出力することを特徴とする、請求項１４に記載の文字送信システム。
【請求項１６】
前記送信部は、
前記コンテンツビューアページに前記アップロードされたコンテンツに対し、予め設定された基準別に前記コンテンツを出力させることを特徴とする、請求項１５に記載の文字送信システム。
【請求項１７】
前記送信部は、
前記コンテンツビューアページに出力された前記コンテンツを前記相手端末にダウンロードするダウンロード機能を提供することにより、前記コンテンツが選択されることにしたがって前記端末に格納されることを特徴とする、請求項１６に記載の文字送信システム。
【請求項１８】
前記送信部は、
前記コンテンツに設定されているダウンロード期限または前記コンテンツのダウンロードの可否のうち少なくとも１つ以上の条件が満たされることにしたがい、クラウドストレージにアップロードされたコンテンツの記録を削除することを特徴とする、請求項１７に記載の文字送信システム。
【請求項１９】
前記受信部は、
送信者から入力された数字または前記送信者の電話番号の下４桁がパスワードとして設定されることを含み、
前記送信部は、
前記設定されたパスワードを含んだ前記文字メッセージを前記相手端末に送信し、受信者が前記設定されたパスワードを認証するように提供することを特徴とする、請求項１２に記載の文字送信システム。
【請求項２０】
前記受信部は、
住所録から前記文字メッセージを受信する受信者が選択されるか、予め生成されたチャットルームに含まれている構成員が自動的に受信者となることを特徴とする、請求項１２に記載の文字送信システム。
【請求項２１】
前記受信部は、
前記文字作成インタフェースに前記選択されたコンテンツを選択された順に整列し、予め設定された分割で出力することを特徴とする、請求項２０に記載の文字送信システム。
【発明の詳細な説明】
【技術分野】
【０００１】
下記の説明は、大容量コンテンツを添付する技術に関し、モバイル端末でコンテンツを添付して文字メッセージを送信する文字送信方法、コンピュータプログラム、および、文字送信システムに関する。
【背景技術】
【０００２】
携帯端末機は、代表的に、電話通話の機能と文字メッセージを送受信する機能を実行する。ここで、文字メッセージは、特定された容量のテキストデータで構成される短文メッセージ、大容量のテキストデータで構成される長文メッセージ、およびテキストデータと写真、音楽、動画などとのマルチメディアデータで構成されるマルチメディアメッセージを含むことができる。例えば、ユーザは、特定の容量に限定された短文メッセージを送信したり、大容量のテキストデータで構成される長文メッセージを相手に送信したりできる上に、携帯端末機に装着されたカメラまたはマイクが提供する写真撮影、動画録画、および録音などの機能を利用して得られる写真データ、音響データ、および動画データなどを追加し、マルチメディアメッセージとして相手に送信することもできる。
【０００３】
ここで、文字メッセージにデータを添付するために、送信者は、事前にクラウドストレージに添付したいデータをアップロードした後に、文字を作成して相手にマルチメディア文字メッセージを送信する方法が一般的である。マルチメディア文字メッセージを受信した受信者は、マルチメディア文字メッセージを確認するために、添付されたデータを提供するサーバに接続してデータをダウンロードした後に、マルチメディア文字メッセージを確認できるようになる。しかし、従来の方法では、１ＭＢという添付ファイルの容量制限や添付ファイルの個数制限が存在するため、添付ファイルの容量または添付ファイルの個数が超過した場合には、ファイルの添付が不可能となったり、ファイルを低画質のデータで添付して送付するしかなかったりなどの問題が生じていた。
【０００４】
特許文献１は、文字メッセージの受信通知前に、大容量データを優先的にダウンロードする携帯端末機および方法に関して開示している。
【先行技術文献】
【特許文献】
【０００５】
【特許文献１】韓国公開特許第１０−２００９−０１２３７１７号公報
【発明の概要】
【発明が解決しようとする課題】
【０００６】
一実施形態に係る文字送信システムは、文字作成インタフェースを利用した文字作成中に、大容量コンテンツを添付して文字メッセージを送信する方法を提案する。
【課題を解決するための手段】
【０００７】
一実施形態によると、文字を送信する方法は、文字アプリケーションが駆動され文字作成インタフェースを提供し、前記文字作成インタフェースを利用した文字作成中に、コンテンツを選択するための入力信号を受信し、前記選択されたコンテンツをクラウドストレージにアップロードし、前記アップロードされたコンテンツにアクセスすることのできる経路情報を含む文字メッセージを相手端末に送信すること、を含み、前記選択されたコンテンツのファイル容量が基準容量以上である場合には、ユーザの要請に応じて前記選択されたコンテンツをクラウドストレージにアップロードし、前記経路情報が自動生成されて前記文字メッセージに含まれてもよい。
【０００８】
他の一実施形態によると、前記クラウドストレージにアップロードされたコンテンツは、原本コンテンツと品質が同じであってもよい。
【０００９】
他の一実施形態によると、前記アップロードされたコンテンツにアクセスすることのできる経路情報を含む文字メッセージを相手端末に送信することは、前記選択されたコンテンツと関連するサムネイルをフォーマット化してコンテンツサムネイルを生成し、ＵＲＬ情報または前記コンテンツサムネイルのうち少なくとも１つ以上に基づいて提供することを含んでもよい。
【００１０】
さらに他の一実施形態によると、前記アップロードされたコンテンツにアクセスすることのできる経路情報を含む文字メッセージを相手端末に送信することは、前記相手端末で前記文字メッセージに含まれた前記ＵＲＬ情報または前記フォーマット化されたサムネイルが選択されることにしたがい、前記ＵＲＬ情報に対応するコンテンツビューアページに連結させて前記コンテンツを出力することを含んでもよい。
【００１１】
さらに他の一実施形態によると、前記アップロードされたコンテンツにアクセスすることのできる経路情報を含む文字メッセージを相手端末に送信することは、前記コンテンツビューアページに前記アップロードされたコンテンツに対し、予め設定された基準別に前記コンテンツを出力させることを含んでもよい。
【００１２】
さらに他の一実施形態によると、前記アップロードされたコンテンツにアクセスすることのできる経路情報を含む文字メッセージを相手端末に送信することは、前記コンテンツビューアページに出力された前記コンテンツを前記相手端末にダウンロードするダウンロード機能を提供することにより、前記コンテンツが選択されることにしたがって前記端末に格納されることを含んでもよい。
【００１３】
さらに他の一実施形態によると、前記アップロードされたコンテンツにアクセスすることのできる経路情報を含む文字メッセージを相手端末に送信することは、前記コンテンツに設定されているダウンロード期限または前記コンテンツのダウンロードの可否のうち少なくとも１つ以上の条件が満たされることにしたがい、クラウドストレージにアップロードされたコンテンツの記録を削除することを含んでもよい。
【００１４】
さらに他の一実施形態によると、前記文字作成インタフェースを利用した文字作成中に、コンテンツを選択するための入力信号を受信することは、送信者から入力された数字または前記送信者の電話番号の下４桁がパスワードとして設定されることを含み、前記アップロードされたコンテンツにアクセスすることのできる経路情報を含む文字メッセージを相手端末に送信することは、前記設定されたパスワードを含んだ前記文字メッセージを前記相手端末に送信し、受信者が前記設定されたパスワードを認証するように提供することを含んでもよい。
【００１５】
さらに他の一実施形態によると、前記文字作成インタフェースを利用した文字作成中に、コンテンツを選択するための入力信号を受信することは、住所録から前記文字メッセージを受信する受信者が選択されるか、予め生成されたチャットルームに含まれている構成員が自動的に受信者となることを含んでもよい。
【００１６】
さらに他の一実施形態によると、前記文字作成インタフェースを利用した文字作成中に、コンテンツを選択するための入力信号を受信することは、前記文字作成インタフェースに前記選択されたコンテンツを選択された順に整列し、予め設定された分割で出力することを含んでもよい。
【００１７】
文字アプリケーションが駆動され文字作成インタフェースを提供し、前記文字作成インタフェースを利用した文字作成中に、コンテンツを選択するための入力信号を受信し、前記選択されたコンテンツをクラウドストレージにアップロードし、および前記アップロードされたコンテンツにアクセスすることのできる経路情報を含む文字メッセージを相手端末に送信すること、を含み、前記選択されたコンテンツのファイル容量が基準容量以上である場合には、ユーザの要請に応じて前記選択されたコンテンツをクラウドストレージにアップロードし、前記経路情報が自動生成されて前記文字メッセージに含まれることをコンピュータに実行させるためのコンピュータプログラムを含んでもよい。
【００１８】
一実施形態によると、文字を送信するシステムは、文字アプリケーションが駆動され文字作成インタフェースを提供するインタフェース部と、前記文字作成インタフェースを利用した文字作成中に、コンテンツを選択するための入力信号を受信する受信部と、前記選択されたコンテンツをクラウドストレージにアップロードするアップロード部と、前記アップロードされたコンテンツにアクセスすることのできる経路情報を含む文字メッセージを相手端末に送信する送信部と、を備え、前記選択されたコンテンツのファイル容量が基準容量以上である場合には、ユーザの要請に応じて前記選択されたコンテンツをクラウドストレージにアップロードし、前記経路情報が自動生成されて前記文字メッセージに含まれてもよい。
【００１９】
一実施形態によると、前記クラウドストレージにアップロードされたコンテンツは、原本コンテンツと品質が同じであってもよい。
【００２０】
他の一実施形態によると、前記送信部は、前記選択されたコンテンツと関連するサムネイルをフォーマット化してコンテンツサムネイルを生成し、ＵＲＬ情報または前記コンテンツサムネイルのうち少なくとも１つ以上に基づいて提供してもよい。
【００２１】
さらに他の一実施形態によると、前記送信部は、前記相手端末で前記文字メッセージに含まれた前記ＵＲＬ情報または前記フォーマット化されたサムネイルが選択されることにしたがい、前記ＵＲＬ情報に対応するコンテンツビューアページに連結させて前記コンテンツを出力してもよい。
【００２２】
さらに他の一実施形態によると、前記送信部は、前記コンテンツビューアページに前記アップロードされたコンテンツに対し、予め設定された基準別に前記コンテンツを出力させてもよい。
【００２３】
さらに他の一実施形態によると、前記送信部は、前記コンテンツビューアページに出力された前記コンテンツを前記相手端末にダウンロードするダウンロード機能を提供することにより、前記コンテンツが選択されることにしたがって前記端末に格納されてもよい。
【００２４】
さらに他の一実施形態によると、前記送信部は、前記コンテンツに設定されているダウンロード期限または前記コンテンツのダウンロードの可否のうち少なくとも１つ以上の条件が満たされることにしたがい、クラウドストレージにアップロードされたコンテンツの記録を削除してもよい。
【００２５】
さらに他の一実施形態によると、前記受信部は、送信者から入力された数字または前記送信者の電話番号の下４桁がパスワードとして設定されることを含み、前記送信部は、前記設定されたパスワードを含んだ前記文字メッセージを前記相手端末に送信し、受信者が前記設定されたパスワードを認証するように提供してもよい。
【００２６】
さらに他の一実施形態によると、前記受信部は、住所録から前記文字メッセージを受信する受信者が選択されるか、予め生成されたチャットルームに含まれている構成員が自動的に受信者になってもよい。
【００２７】
さらに他の一実施形態によると、前記受信部は、前記文字作成インタフェースに前記選択されたコンテンツを選択された順に整列し、予め設定された分割で出力してもよい。
【発明の効果】
【００２８】
一実施形態に係る文字送信システムは、文字作成中に大容量コンテンツをクラウドストレージにアップロードし、生成されたＵＲＬ情報を含む文字メッセージを受信者に送信することにより、既存のＭＭＳ方式では送信が不可能であった大容量かつ高品質のコンテンツを送信することができる。
【図面の簡単な説明】
【００２９】
【図１】一実施形態における、文字送信システムの概括的な動作を説明するための図である。
【図２】一実施形態における、文字送信システムの構成を説明するためのブロック図である。
【図３】一実施形態における、文字送信システムにおいて、文字作成インタフェースを提供して文字を作成する過程を説明するための図である。
【図４】一実施形態における、文字送信システムにおいて、文字作成インタフェースを提供して文字を作成する過程を説明するための図である。
【図５】一実施形態における、文字送信システムにおいて、文字作成インタフェースを提供して文字を作成する過程を説明するための図である。
【図６】一実施形態における、文字送信システムにおいて、文字作成インタフェースを提供して文字を作成する過程を説明するための図である。
【図７】一実施形態における、文字送信システムにおいて、文字作成インタフェースを提供して文字を作成する過程を説明するための図である。
【図８】一実施形態における、文字送信システムにおいて、ＵＲＬ情報を含む文字メッセージが送信されることを説明するための図である。
【図９】一実施形態における、文字送信システムにおいて、ＵＲＬ情報を含む文字メッセージが送信されることを説明するための図である。
【図１０】一実施形態における、文字送信システムにおいて、ＵＲＬ情報を含む文字メッセージを選択することにしたがい、コンテンツビューアページに連結させることを説明するための図である。
【図１１】一実施形態における、文字送信システムにおいて、ＵＲＬ情報を含む文字メッセージを選択することにしたがい、コンテンツビューアページに連結されることを説明するための図である。
【図１２】一実施形態における、文字送信システムの文字送信方法を説明するためのフローチャートである。
【発明を実施するための形態】
【００３０】
以下、本発明の実施形態について、添付の図面を参照しながら詳しく説明する。
【００３１】
「文字アプリケーション」とは、ユーザ端末で文字機能を実行するアプリケーションを意味し、文字以外の他の機能が付加されて実行されてもよい。送信端末には文字アプリケーションがインストールされているが、受信端末には文字アプリケーションがインストールされていない場合には、送信者が作成した文字メッセージが一般的な文字送信方法によって受信端末に送信されてもよく、受信端末にも文字アプリケーションがインストールされている場合には、送信端末と受信端末との間にチャットルームが形成された形態で文字メッセージが送信されてもよい。また、文字アプリケーションは、クラウドストレージと連動し、クラウドストレージにコンテンツをアップロードする動作が実行されてもよい。
【００３２】
「クラウドストレージ」とは、文字サービスにおいてコンテンツ格納機能を提供するためのネットワーク上のデータ格納空間であって、大容量添付専用の格納所を意味する。
【００３３】
図１は、一実施形態における、文字送信システムの概括的な動作を説明するための図である。
【００３４】
文字送信システム１００は、文字の作成中に大容量コンテンツを添付することによって大容量コンテンツが添付された文字メッセージを送信するためのものであって、第１端末１１０と第２端末１１１との間でネットワーク１２０を介して文字メッセージが送受信されてもよい。図１では、ユーザ端末１１０、１１１において、第１端末１１０が送信端末、第２端末１１０が受信端末と仮定して説明する。
【００３５】
ユーザ端末１１０、１１１は、ＰＣ、ノート型パンコン、スマートフォン（ｓｍａｒｔ  ｐｈｏｎｅ）、タブレット（ｔａｂｌｅｔ）、ウェアラブルコンピュータ（ｗｅａｒａｂｌｅ  ｃｏｍｐｕｔｅｒ）などであって、文字送信システム１００と関連するウェブ／モバイルサイトへの接続、またはサービス専用アプリケーションのインストールおよび実行が可能なすべての端末装置を意味する。ここで、ユーザ端末１１０、１１１は、ウェブ／モバイルサイトまたは専用アプリケーションの制御下で、サービス画面の構成、データ入力、データ送受信、データ格納などのようなサービス全般の動作を実行してもよい。
【００３６】
ネットワーク１２０は、データプロセッシングシステム、コンピュータ、サーバ、各種装置間の通信リンクを提供するために使用される媒体である。ネットワーク１２０は、文字送信システム１００とユーザ端末１１０、１１１とが互いに通信するためにＴＣＰ／ＩＰ（Ｔｒａｎｓｍｉｓｓｉｏｎ  Ｃｏｎｔｒｏｌ  Ｐｒｏｔｏｃｏｌ  Ｉｎｔｅｒｎｅｔ  Ｐｒｏｔｏｃｏｌ）プロトコルスイート（ｓｕｉｔｅ  ｏｆ  ｐｒｏｔｏｃｏｌｓ）を使用するネットワークおよびゲートウェイのワールドワイドコレクションを示す。一部の例において、ネットワーク１２０は、イントラネット、ＬＡＮ（ｌｏｃａｌ  ａｒｅａ  ｎｅｔｗｏｒｋ）、またはＷＡＮ（ｗｉｄｅ  ａｒｅａ  ｎｅｔｗｏｒｋ）を含むか、またはその一部であってもよい。一部の例において、ネットワーク１２０は、インターネットの一部であってもよい。
【００３７】
第１端末１１０が第２端末１１１に文字メッセージを送信する過程は、次のとおりとなる。ここで、第１端末１１０には文字アプリケーションがインストールされているが、第２端末１１１には文字アプリケーションがインストールされていてもよいし、インストールされていなくてもよい。
【００３８】
文字送信システム１００は、第１端末１１０に文字アプリケーションが駆動され文字作成インタフェースを提供してもよい。第１端末１１０の送信者は、文字作成インタフェースを利用して第２端末１１１に送信するための文字を作成している途中に、添付するコンテンツを選択してもよい。文字送信システム１００は、第１端末１１０の送信者からコンテンツが選択される入力信号を受信してもよい。ここで、コンテンツは、添付ファイル、例えば、写真、動画、文書ファイル、日程表などを含んでもよい。
【００３９】
文字送信システム１００は、第１端末１１０から添付されたコンテンツをクラウドストレージ１０１にアップロードしてもよい。ここで、選択されたコンテンツのファイル容量が基準容量以上である場合には、ユーザ要請に応じて選択されたコンテンツをクラウドストレージ１０１にアップロードし、ＵＲＬ情報が自動生成されて文字メッセージに含まれてもよい。
【００４０】
文字送信システム１００は、クラウドストレージ１０１に第１端末１１０から添付されたコンテンツを格納してもよく、添付されたコンテンツにアクセスすることのできるＵＲＬ情報を生成させてもよい。文字送信システム１００は、第２端末１１１にＵＲＬ情報を含む文字メッセージを伝達してもよい。
【００４１】
文字送信システム１００は、文字サービスを提供する文字プラットフォーム上に実現されてもよく、文字サービスを利用するクライアント（ｃｌｉｅｎｔ）であるユーザ端末１１０、１１１を対象に、大容量コンテンツを送信する環境を提供してもよい。
【００４２】
文字送信システム１００は、文字サービスを提供する文字サーバ（図示せず）のプラットフォームに含まれる形態で実現されてもよいが、これに限定されることはなく、文字サーバとは別のシステムで構築され、文字サーバとの連動によって文字メッセージに大容量コンテンツを送信する形態で実現されることも可能である。また、文字送信システム１００は、少なくとも一部の構成要素がユーザ端末１１０、１１１上にインストールされるアプリケーション形態で実現されてもよいし、クライアント・サーバ環境でサービスを提供するプラットフォームに含まれる形態で実現されることも可能である。
【００４３】
図２は、一実施形態における、文字送信システムの構成を説明するためのブロック図である。
【００４４】
文字送信システム２００は、インタフェース部２１０、受信部２２０、アップロード部２３０、および送信部２４０を備えてもよい。
【００４５】
インタフェース部２１０は、文字アプリケーションが駆動され文字作成インタフェースを提供してもよい。
【００４６】
受信部２２０は、文字作成インタフェースを利用した文字作成中に、コンテンツを選択するための入力信号を受信してもよい。受信部２２０は、住所録から文字メッセージを受信する受信者が選択されてもよいし、予め生成されたチャットルームに含まれている構成員が自動的に受信者になってもよい。受信部２２０は、文字作成インタフェースに選択されたコンテンツを選択された順に整列し、予め設定された数に分割して出力してもよい。
【００４７】
アップロード部２３０は、選択されたコンテンツをクラウドストレージにアップロードしてもよい。
【００４８】
送信部２４０は、アップロードされたコンテンツにアクセスすることのできる経路情報を含む文字メッセージを相手端末に送信してもよい。送信部２４０は、クラウドストレージにアップロードされたコンテンツの位置情報が含まれたＵＲＬ情報を文字メッセージとして送信することによって相手端末に原本コンテンツを提供してもよい。
【００４９】
送信部２４０は、選択されたコンテンツと関連するサムネイルをフォーマット化してコンテンツサムネイルを生成し、ＵＲＬ情報またはコンテンツサムネイルのうち少なくとも１つ以上に基づいて提供してもよい。送信部２４０は、相手端末で文字メッセージに含まれたＵＲＬ情報またはフォーマット化されたサムネイルが選択されることにしたがい、ＵＲＬ情報に対応するコンテンツビューアページに連結させてコンテンツを出力してもよい。送信部２４０は、コンテンツビューアページにアップロードされたコンテンツに対し、予め設定された基準別にコンテンツを出力させてもよい。
【００５０】
送信部２４０は、コンテンツビューアページに出力されたコンテンツを相手端末にダウンロードするダウンロード機能を提供することにより、コンテンツが選択されることにしたがって端末に格納されてもよい。送信部２４０は、コンテンツが予め設定された期限内にダウンロードが行われるかコンテンツのダウンロードの可否に基づき、少なくとも１つ以上の条件が満たされることにしたがってクラウドストレージにアップロードされたコンテンツの記録を削除してもよい。
【００５１】
図３乃至図７は、一実施形態における、文字送信システムにおいて、文字作成インタフェースを提供して文字を作成する過程を説明するための図である。
【００５２】
図３は、一実施形態における、文字送信システムの概括的な動作を説明するための図である。文字送信システムは、文字を送信する送信端末には文字アプリケーションがインストールされていてもよく、文字アプリケーションが駆動され文字作成インタフェースを提供してもよい。例えば、送信者が文字を作成している途中であると仮定する。このとき、送信者は、文字アプリケーションを利用して受信者に送信するための文字３１０を作成したとする。ここで、送信者は、受信者を指定してもよく、受信者にコンテンツを送信するためのコンテンツ添付インタフェース３２０を選択してもよい。コンテンツ添付インタフェース３２０は、送信者の端末に格納されている写真や動画などのコンテンツ３３０を選択することができるように提供されてもよい。コンテンツ３３０のうち少なくとも１つが選択されることにしたがい、選択されたコンテンツが添付されてもよい。
【００５３】
また、送信者は、パスワードを設定してもよい。例えば、送信者が直接数字を入力してパスワードを設定してもよいし、自動的に送信者の電話番号の下４桁をパスワードとして設定してもよい。パスワードを設定して文字メッセージを送信する場合、受信者の文字メッセージにパスワードが表示されてもよく、受信者がパスワードを認証することによってコンテンツの提供を受けられるようになる。これにより、文字を受信しなくても、ＵＲＬパターンによってコンテンツを確認することが可能となり、短縮ＵＲＬハッキングによってコンテンツが流出することを防ぐこともできる。
【００５４】
図６を参照すると、文字送信システムで文字作成インタフェースを示したものである。文字送信システムは、文字アプリケーションが駆動され文字作成インタフェースを提供してもよい。送信者は、文字作成インタフェースを利用した文字作成中に、受信者に送信するためのコンテンツを選択してもよい。ここで、新しい文章の作成を実行する場合には、コンテンツを選択する前に受信者を選択してもよい。例えば、送信者は、送信端末に格納されている住所録から受信者を選択してもよい。図６および図７を参照すると、文字送信システムは、文字作成インタフェースに受信者を追加するための受信者追加インタフェース６３０、７１０を提供してもよい。送信者が受信者追加インタフェース６３０、７１０を選択することにしたがい、送信者の送信端末に格納されている住所録７２０が出力されてもよい。住所録７２０は、グループ別または個人別に分類されて出力されてもよく、住所録に整列されている連絡先を選択することのできるインタフェースが提供されてもよい。例えば、送信者が住所録７２０から受信者「ＣＣＣ」、「ＤＤＤ」を選択することにしたがい、２人が選択されたことを表示してもよい。文字送信システムは、送信者が選択した受信者を文字作成インタフェースに表示してもよい。
【００５５】
また、受信者の受信端末にも文字アプリケーションがインストールされている場合には、送信者と受信者との間のチャットルームが生成されてもよく、予め生成されたチャットルームにコンテンツを添付することが可能であることから、このような場合には受信者を選択しなくてもよい。
【００５６】
図４を参照すると、文字アプリケーション４１０が駆動され送信者が文字を作成している途中に、コンテンツを添付するためのコンテンツが選択されたとする。文字送信システムは、送信者によって選択されたコンテンツが予め設定された条件、例えば、選択されたコンテンツのファイル容量が基準容量以上である場合や、選択されたコンテンツの個数が基準個数以上である場合などに基づいて大容量添付が行われてもよい。ここで、文字メッセージは、文字作成の途中に添付されるファイルの容量に基づいて送信される文字メッセージの種類が異なってもよい。実施形態に係る大容量添付は、文字作成中にコンテンツがクラウドストレージにアップロードされてもよい。大容量添付文字メッセージは、ＭＭＳ文字メッセージが許容する許容量を超えることにしたがって大容量のファイル容量を含む文字メッセージを送信するために別に実行されてもよい。本発明の実施形態では、大容量添付をキャストと呼ぶことにする。
【００５７】
文字送信システムは、送信者によって選択されたコンテンツが予め設定された基準、例えば、コンテンツのファイル容量やコンテンツの個数などのような条件に基づき基準容量以上である場合には、大容量添付を実行するか否かを問うメッセージ４２０を出力してもよい。送信者が大容量添付を実行することに同意すると、大容量添付を実行するという吹き出しメッセージ４３０が出力されてもよい。
【００５８】
例えば、文字送信システムは、送信者が添付するコンテンツを選択してメッセージの送信を要請することに応じ、接続した通信網確認のためのアラート（ａｌｅｒｔ）を表示し、データ料金の差し引きなく文字メッセージを送信できることを通知してもよい。
【００５９】
図５を参照すると、図４と同じように、文字送信システムは、送信者が選択したコンテンツを出力してもよい。送信者がコンテンツを３つ選択すると、選択された順にコンテンツを出力してもよい。文字送信システムは、送信者が選択したコンテンツが予め設定された基準、例えば、コンテンツのファイル容量やコンテンツの個数などのような条件に基づき基準容量以上である場合には、大容量添付を実行するか否かを問うメッセージ５２０を出力してもよい。送信者が大容量添付を実行することに同意すると、大容量添付を実行するという吹き出しメッセージ５３０が出力されてもよい。例えば、さらに、文字メッセージ作成インタフェースではない、コンテンツが格納されている格納所を通じてコンテンツを直接選択することによって大容量添付が実行されてもよい。
【００６０】
ここで、文字送信システムは、ユーザの要請に応じて選択したコンテンツをクラウドストレージにアップロードしてもよい。ユーザの要請とは、送信者がコンテンツ（例えば、写真）を選択する行為、または送信者が文字メッセージを送信要請する行為を含んでもよい。また、文字送信システムは、送信者から通信網確認のためのアラート（ａｌｅｒｔ）に対応する行為を受信することに応じ、選択したコンテンツをクラウドストレージにアップロードしてもよい。
【００６１】
文字送信システムは、アップロードされたコンテンツにアクセスすることのできる位置情報、例えば、「ｈｔｔｐｓ：／／ａａａ．ａａａ．ｃｏｍ／１２３」のようなＵＲＬ情報６２０を生成してもよく、生成されたＵＲＬ情報６２０を文字作成インタフェースに出力してもよい。ここで、送信者が選択したコンテンツ６５０は、選択された順に２分割に整列されて文字作成インタフェースに出力されてもよい。さらに、選択されたコンテンツの題目は、基本値によって今日の日付に設定されてもよく、修正が可能であってもよい。
【００６２】
図８および図９は、一実施形態における、文字送信システムにおいて、ＵＲＬ情報を含む文字メッセージが送信されることを説明するための図である。
【００６３】
受信端末に文字アプリケーションがインストールされている場合、図８のように、文字送信システムは、ＵＲＬ情報を、選択されたコンテンツと関連するサムネイル８２１をフォーマット化して提供してもよい。
【００６４】
例えば、「ＡＡＡ」が「ＣＣＣ」に文字メッセージを送信したと仮定する。ここで、「ＡＡＡ」と「ＣＣＣ」のそれぞれの端末には、文字アプリケーションがインストールされていてもよい。送信者「ＡＡＡ」の端末から受信者「ＣＣＣ」の端末に文字メッセージ８２１が送信され、「ＡＡＡ」と「ＣＣＣ」が文字アプリケーションのチャットルーム８１０を会話している途中に「ＡＡＡ」がコンテンツを添付したとする。このとき、文字送信システムは、「ＡＡＡ」が選択したコンテンツのファイル容量が基準容量以上である場合には、ユーザの要請に応じて選択されたコンテンツをクラウドストレージにアップロードし、アップロードされたコンテンツにアクセスすることのできるＵＲＬ情報を自動的に生成してもよい。
【００６５】
文字送信システムは、ＵＲＬ情報を、選択されたコンテンツと関連するサムネイルをフォーマット化して提供してもよい。例えば、フォーマット化されたサムネイルが「２０１５年１月１日」であるとき、文字送信システムは、受信端末８２０に、「２０１５年１月１日」というフォーマット化されたサムネイルを含む文字メッセージ８２１を送信してもよい。ここで、文字メッセージ８２１には、アップロードされたコンテンツにアクセスすることのできるＵＲＬ情報の代りに、フォーマット化されたサムネイルおよび代表コンテンツが含まれてもよい。さらに、受信端末の文字メッセージ８２１には、コンテンツをダウンロードすることのできるダウンロード期間が表示されてもよい。
【００６６】
受信端末に文字アプリケーションがインストールされていない場合には、図９のように、ＵＲＬ情報を、選択されたコンテンツと関連するサムネイルをフォーマット化してＵＲＬ情報と共に提供してもよい。
【００６７】
例えば、「ＡＡＡ」が「ＣＣＣ」に文字メッセージを送信すると仮定する。このとき、「ＡＡＡ」の端末には文字アプリケーションがインストールされており、「ＣＣＣ」の端末には文字アプリケーションがインストールされていないと仮定する。送信者「ＡＡＡ」の端末から受信者「ＣＣＣ」の端末に文字メッセージ９２１が送信され、「ＡＡＡ」が文字アプリケーション９１０を利用して文字を作成することによって「ＣＣＣ」に文字メッセージを送信し、「ＡＡＡ」が「ＣＣＣ」に文字を作成している途中にコンテンツを添付したとする。これにより、文字送信システムは、「ＡＡＡ」が選択したコンテンツのファイル容量が基準容量以上である場合には、ユーザの要請に応じて選択されたコンテンツをクラウドストレージにアップロードし、アップロードされたコンテンツにアクセスすることのできるＵＲＬ情報を自動的に生成してもよい。
【００６８】
文字送信システムは、ＵＲＬ情報を、選択されたコンテンツと関連するサムネイルをフォーマット化し、ＵＲＬ情報と共に受信端末９２０に提供してもよい。例えば、フォーマット化されたサムネイルが「２０１５年１月１日」であるとき、文字送信システムは、受信端末９２０に「２０１５年１月１日」というフォーマット化されたサムネイルおよびＵＲＬ情報を含む文字メッセージ９２１、９２２を送信してもよい。ここで、文字メッセージ９２１、９２２には、アップロードされたコンテンツにアクセスすることのできるフォーマット化されたサムネイルおよび代表コンテンツが含まれてもよい。さらに、受信端末の文字メッセージ９２１、９２２には、コンテンツをダウンロードすることのできるダウンロード期間が表示されてもよい。受信端末９２０の文字メッセージ９２１、９２２には、送信者から入力されたパスワードまたは送信者の電話番号の下桁がパスワードとして設定されて暗号で表示されてもよい。ここで、パスワードは、短縮ＵＲＬハッキングによる流出を防ぐための手段として設定されてもよい。
【００６９】
図１０および図１１は、一実施形態における、文字送信システムにおいて、ＵＲＬ情報を含む文字メッセージを選択することにしたがい、コンテンツビューアページに連結させることを説明するための図である。
【００７０】
文字送信システムは、受信端末に送信したＵＲＬ情報を含んだ文字メッセージを送信してもよい。受信者は、ＵＲＬ情報を含んだ文字メッセージを受信してもよく、ＵＲＬ情報を含んだ文字メッセージを選択してもよい。ここで、受信した文字メッセージには、ＵＲＬ情報またはフォーマット化されたサムネイルが含まれていてもよい。図１０を参照すると、受信者が文字メッセージに含まれたＵＲＬ情報またはフォーマット化されたサムネイルを選択することにしたがい、文字送信システムは、ＵＲＬ情報に対応するコンテンツビューアページ１０１０に連結させてコンテンツを出力してもよい。例えば、文字送信システムは、ＵＲＬ情報「ｈｔｔｐｓ：／／ａａａ．ａａａ．ｃｏｍ／１２３」に対応するコンテンツビューアページ１０１０を連結させてもよい。
【００７１】
コンテンツビューアページ１０１０は、ＵＲＬ情報１０２０、コンテンツのダウンロード期間１０３０、サムネイル１０４０、全体格納インタフェース１０５０、およびアップロードされたコンテンツ１０６０が出力されてもよい。例えば、ＵＲＬ情報１０２０は「ｈｔｔｐｓ：／／ａａａ．ａａａ．ｃｏｍ／１２３」、コンテンツ格納期間１０３０は「５月１６日まで原本写真の格納が可能です」、サムネイル１０４０は「２０１５年１月１日」のように出力されてもよく、アップロードされたコンテンツ１０６０は、送信者がコンテンツを選択した順に２分割で出力されてもよい。
【００７２】
全体格納インタフェース１０５０は、送信者によって添付されたコンテンツをすべてダウンロードしたい場合、受信者は、全体格納インタフェース１０５０を利用して受信端末にすべて格納してもよいし、添付されたコンテンツのうちダウンロードしたいコンテンツを選択することにより、選択されたコンテンツだけを格納することも可能である。ここで、コンテンツビューアページ１０１０に出力されるコンテンツは、例えば、自動的にダウンロードされてもよく、Ｗｉ−Ｆｉを通じてダウンロードされてもよい。
【００７３】
また、送信端末および受信端末に文字アプリケーションがインストールされている場合には、送信者と受信者との間のチャットルームにコンテンツがイメージパーシングされて受信端末に出力されてもよい。
【００７４】
図１１を参照すると、受信者が文字メッセージ１１２０に含まれたＵＲＬ情報またはフォーマット化されたサムネイル１１２０を選択することにしたがい、文字送信システムは、ＵＲＬ情報に対応するコンテンツビューアページに連結させてコンテンツを出力してもよい。ここで、受信端末１１１０で受信した文字メッセージ１１２０には、アップロードされたコンテンツにアクセスすることのできるフォーマット化されたサムネイルおよび代表コンテンツが含まれてもよい。さらに、受信端末の文字メッセージ１１２０には、コンテンツをダウンロードすることのできるダウンロード期間が表示されてもよい。例えば、文字メッセージ１１２０には、「２０１５年１月１日」のようなサムネイルおよびコンテンツ他１３のように出力されてもよい。送信者からパスワードが設定されることにしたがい、受信端末の文字メッセージ１１２０には「暗号：１２３４」のように出力されてもよい。受信者が文字メッセージ１１２０に表示された暗号に基づいて認証することにより、コンテンツの提供を受けることができるようになる。
【００７５】
受信者が文字メッセージ１１２０を選択することにしたがい、コンテンツビューアページに連結されてもよい。コンテンツビューアページは、予め設定された基準別にコンテンツを出力させてもよい。例えば、コンテンツビューアページは、アップロードされた期間に基づいてコンテンツを分類して出力させてもよいし、大容量添付が行われたコンテンツを別途分類して出力してもよい。さらに詳しく説明すると、受信端末１１１０には、受信文字に添付されたコンテンツ、例えば、ＭＭＳ文字に添付されたコンテンツおよび大容量添付によって受信されたコンテンツが共にすべての写真カテゴリ１１３０に出力されてもよいし、大容量添付によって受信されたコンテンツは、キャストカテゴリ１１４０に別途分類されて出力されてもよい。
【００７６】
図１２は、一実施形態における、文字送信システムの文字送信方法を説明するためのフローチャートである。
【００７７】
段階１２１０で、文字送信システムは、文字アプリケーションが駆動され文字作成インタフェースを提供してもよい。
【００７８】
段階１２２０で、文字送信システムは、文字作成インタフェースを利用した文字作成中に、コンテンツを選択するための入力信号を受信してもよい。
【００７９】
段階１２３０で、文字送信システムは、選択されたコンテンツをクラウドストレージにアップロードしてもよい。例えば、文字送信システムは、選択されたコンテンツに対するファイル容量やファイル個数などのような予め設定された基準に基づき、ユーザの要請に応じて選択されたコンテンツをクラウドストレージにアップロードしてもよい。また、例えば、送信者が選択したコンテンツのファイル容量が基準容量以下である場合には、ＭＭＳ文字を利用できるにも係わらずこれを利用せず、大容量添付を利用したコンテンツ添付を実行することにより、文字送信システムは、選択されたコンテンツをクラウドストレージにアップロードしてもよい。
【００８０】
段階１２４０で、文字送信システムは、アップロードされたコンテンツにアクセスすることのできるＵＲＬ情報を含む文字メッセージを相手端末に送信してもよい。文字送信システムは、クラウドストレージにアップロードされたコンテンツの位置情報が含まれたＵＲＬ情報を文字メッセージとして送信することにより、相手端末に原本コンテンツを提供してもよい。
【００８１】
一実施形態に係る文字送信システムは、大容量のコンテンツを添付するにあたり、クラウドストレージにアップロードしてＵＲＬ情報を含む文字メッセージを送信することにより、費用的な側面においても追加料金なく送信することが可能となる。
【００８２】
上述した装置は、ハードウェア構成要素、ソフトウェア構成要素、および／またはハードウェア構成要素とソフトウェア構成要素との組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてもよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを格納、操作、処理、および生成してもよい。理解の便宜のために、１つの処理装置が使用されるとして説明される場合もあるが、当業者は、処理装置が複数の処理要素（ｐｒｏｃｅｓｓｉｎｇ  ｅｌｅｍｅｎｔ）および／または複数種類の処理要素を含んでもよいことが理解できるであろう。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００８３】
ソフトウェアは、コンピュータプログラム、コード、命令、またはこれらのうちの１つ以上の組み合わせを含んでもよく、所望するとおりに動作するように処理装置を構成したり、独立的または集合的に（ｃｏｌｌｅｃｔｉｖｅｌｙ）処理装置に命令したりしてよい。ソフトウェアおよび／またはデータは、処理装置に基づいて解釈されたり、処理装置に命令またはデータを提供したりするために、ある種類の機械、コンポーネント、物理装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具現化（ｅｍｂｏｄｙ）されてもよい。ソフトウェアは、ネットワークによって接続されたコンピュータシステム上に分散され、分散された態様で格納されても実行されてもよい。ソフトウェアおよびデータは、１つ以上のコンピュータで読み取り可能な記録媒体に格納されてもよい。
【００８４】
実施形態に係る方法は、多様なコンピュータ手段によって実行可能なプログラム命令の形態で実現されてコンピュータで読み取り可能な媒体に記録されてもよい。前記コンピュータで読み取り可能な媒体は、プログラム命令、データファイル、データ構造などを単独でまたは組み合わせて含んでもよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピ（登録商標）ディスク、磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【００８５】
以上のように、実施形態を、限定された実施形態と図面に基づいて説明したが、当業者であれば、上述した記載から多様な修正および変形が可能である。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００８６】
したがって、異なる実施形態であっても、特許請求の範囲と均等なものであれば、添付される特許請求の範囲に属する。
【符号の説明】
【００８７】
１００：文字送信システム
１０１：クラウドストレージ
１１０：第１端末
１２０：ネットワーク
１１１：第２端末
【図１】
0006275201.tif 000002
【図２】
0006275201.tif 000003
【図３】
0006275201.tif 000004
【図４】
0006275201.tif 000005
【図５】
0006275201.tif 000006
【図６】
0006275201.tif 000007
【図７】
0006275201.tif 000008
【図８】
0006275201.tif 000009
【図９】
0006275201.tif 000010
【図１０】
0006275201.tif 000011
【図１１】
0006275201.tif 000012
【図１２】
0006275201.tif 000013